(57)【要約】      （修正有）【課題】裏面にヒーター線を設けた融雪瓦において、全体抵抗値を低減させ、印加電圧を低く抑え省電力化を図る。【解決手段】瓦本体１に形成した収容部位３、3aに、少なくとも先端にＵ字状のヒーター線４を有するヒーター２、2aを挿設すると共に、隣接するヒーター２、2a間をリード線５、5aで直列接続したので、収容部位３、3a内の必要個所に必要長さのヒーター線４を配置する様に各ヒーター２、2aを収容すれば良いため、全体的には蛇行形状になっても電気抵抗の高いヒーター線４の長さを可能な限り短く抑えることが出来る。【選択図】図１
2005299341.tif 000002
【特許請求の範囲】
【請求項１】
瓦本体に形成した収容部位に、少なくとも先端にＵ字状のヒーター線を有するヒーター
を挿設すると共に、隣接するヒーター間をリード線で直列接続したことを特徴とする融雪
瓦。
【請求項２】
ヒーターを、Ｕ字状のヒーター線と、該ヒーター線の両端部に先端部を接続した挿入リ
ード線と、該挿入リード線の基端部を貫通させた収容部位に嵌め込む取付体で構成したこ
とを特徴とする請求項１記載の融雪瓦。
【請求項３】
収容部位を、尻側端面で開口した、瓦本体の流れ方向に長い収容孔としたことを特徴と
する請求項１又は２記載の融雪瓦。
【請求項４】
収容部位を、瓦本体裏面に形成した、流れ方向に長い収容溝としたことを特徴とする請
求項１又は２記載の融雪瓦。
【発明の詳細な説明】
【技術分野】
【０００１】
本発明は、屋根上の積雪を溶かすための融雪瓦に関する。
【背景技術】
【０００２】
従来、かかる融雪瓦にあっては、瓦裏面に蛇行状ヒーター線又は面状発熱体を設けたも
のが見受けられる（例えば、特許文献１、２参照）。
【０００３】
【特許文献１】実用新案登録第２５８１４９３号公報
【特許文献２】特開平８−１２０８３６号公報
【発明の開示】
【発明が解決しようとする課題】
【０００４】
しかし、上記融雪瓦における加熱手段にあっては、葺設状態において瓦が露出した部分
の略全体を加熱する様に１本のヒーター線を蛇行させたり、面積が大きいものを使用して
いるため、全体的な抵抗値が高く印加電圧も大きくなり、その結果電力消費量が必要以上
に高くなってしまう欠点を有していた。
而も、地域により降雪量、雪質、気温は異なり、屋根勾配によって積雪形態が異なるこ
とから、瓦の露出部分の略全体を加熱する必要のないケースであっても同様に加熱するこ
とになるため、甚だ不経済で無駄な操作を行う必要性が生じてしまう。
【課題を解決するための手段】
【０００５】
本発明は、上記従来技術に基づく、全体抵抗値が大きく、印加電圧が高くなる等の課題
に鑑み、瓦本体に形成した収容部位に、少なくとも先端にＵ字状のヒーター線を有するヒ
ーターを挿設すると共に、隣接するヒーター間を導電性の高いリード線で直列接続し、各
ヒーターのヒーター線を、収容部位内における瓦本体の加熱必要部位に配置することによ
って、瓦本体全体を加熱せずに必要部位だけを加熱することで全体的な抵抗値を低く抑え
、印加電圧を低減させても必要な効果を発揮させる様にして、上記課題を解決する。
【発明の効果】
【０００６】
要するに本発明は、瓦本体に形成した収容部位に、少なくとも先端にＵ字状のヒーター
線を有するヒーターを挿設すると共に、隣接するヒーター間をリード線で直列接続したの
で、収容部位内の必要個所に必要長さのヒーター線を配置する様にヒーターを収容すれば
良いため、全体的には蛇行形状になっても電気抵抗の高いヒーター線の長さを可能な限り
短く抑えることが出来るため、全体的な抵抗値が低減して印加する電圧も低く抑えること
が出来、よって省電力化を図ることが出来る。
つまり、地域により異なる降雪量、雪質、気温、或いは屋根勾配による積雪形態の相違
等の諸条件を考慮して瓦本体の必要部位に必要長さのヒーターを設置すれば、不要に加熱
せずに効率的に融雪を行なうことが出来る。
又、断線事故の場合、断線したヒーター線を有するヒーターだけ又は断線したヒーター
線だけの交換で対応出来るため、交換コストの低減化を図ることが出来る。
【０００７】
ヒーターを、Ｕ字状のヒーター線と、該ヒーター線の両端部に先端部を接続した挿入リ
ード線と、該挿入リード線の基端部を貫通させた収容部位に嵌め込む取付体で構成したの
で、ヒーター線及び挿入リード線の長さが異なる各種ヒーターを予め準備しておけば、ヒ
ーターを収容作業した後に外部突出した挿入リード線の基端部にリード線を接続すれば良
いため、ヒーターの設置作業全体の簡易化を図ることが出来る。
【０００８】
収容部位を、尻側端面で開口した、瓦本体の流れ方向に長い収容孔としたので、ヒータ
ーを収容孔に挿設するだけで、ヒーター全体を外部露出させずにリード線だけが外部露出
する様にセットできるため、ヒーターへの外部からの悪影響を最小限に抑えることが出来
る。
或いは、瓦本体裏面に形成した、流れ方向に長い収容溝としたので、該収容溝の開口部
側よりヒーターを収容出来るため、ヒーターの収容部位への収容作業の容易化を図ること
が出来、而も収容溝の開口部を蓋材で塞げば、上記と同様に、リード線だけが外部露出す
る様にセットできるため、ヒーターへの外部からの悪影響を最小限に抑えることが出来る
等その実用的効果甚だ大である。
【発明を実施するための最良の形態】
【０００９】
本発明に係る融雪瓦にあっては、瓦本体１に複数のヒーター２、2a…の収容部位３、3a
…を形成している。
各ヒーター２、2a…にあっては、少なくともＵ字状に形成したヒーター線４を有すると
共に、該ヒーター線４を望ましくは収容部位３、3a…における尻側重ね部位より頭側に配
置し、隣接するヒーター２、2a…をリード線５、5a…で直列状に接続して、ヒーター２、
2a…及びリード線５、5a…により蛇行形状とを呈する様にしている。
又、ヒーター２、2a…における瓦本体１の両側部位のものの外端側にもリード線６、6a
を接続し、該リード線６、6aを屋根側への配線（図示せず）に接続する様にしている。
【００１０】
図１〜４に示す融雪瓦にあっては、平板状の瓦本体１の尻側端面で開口する、流れ方向
に長く形成した、瓦本体１の幅方向に所定間隔毎に並設した収容孔７、7a…を収容部位３
、3a…とし、収容孔７、7a…の一部又は全部内の所定箇所の夫々に所定長さのヒーター線
４を収容し、収容孔７、7a…の開口部よりリード線５、5a…の両端部が差し込まれてヒー
ター線４の端部に接続されている。
【００１１】
図６、７に示す融雪瓦にあっては、Ｊ形桟瓦又はＦ形桟瓦である瓦本体１の裏面に流れ
方向に長く形成した、瓦本体１の幅方向に所定間隔毎に並設した収容溝８、8a…を収容部
位３、3a…とし、収容溝８、8a…の一部又は全部内の夫々の所定箇所に所定長さのヒータ
ー線４を収容すると共に、かかる収容溝８、8a…の開口部を蓋材９、9a…で閉鎖し、収容
溝８、8a…の尻側端よりリード線５、5a…の両端部が差し込まれてヒーター線４の端部に
接続されている。
【００１２】
尚、図５に示す様に、各ヒーター２、2a…を、Ｕ字状のヒーター線４と、該ヒーター線
４の両端部に接続した２本の挿入リード線10、10a と、ヒーター線４を収容した収容部位
３、3a…の尻側に嵌め込む、挿入リード線10、10a の挿通孔11、11a を形成した取付体12
とにより構成したユニットとし、隣接するヒーター２、2a…の挿入リード線10、10a にお
ける取付体12からの突端部をリード線５、5a…で直列状に接続しても良い。
又、図１〜４に示す融雪瓦の様に、収容部位３、3a…である収容孔７、7a…が頭側まで
貫通している場合、取付体12に通気部位（図示せず）を形成するのが好ましい。
【００１３】
又、ヒーター線４の長さ及び配置位置にあっては、図１、２に示す様に、尻側から頭側
の全体を加熱する様に設定したり、図４（ａ）に示す様に尻側部位だけを、図４（ｂ）に
示す様に中央部位だけを、図４（ｃ）に示す様に頭側部位だけを加熱する様に配置するな
ど、流れ方向の加熱範囲はヒーター線４の長さで、幅方向の加熱範囲はヒーター２、2a…
の本数で夫々設定する様にしている。
【００１４】
次に、本発明に係る融雪瓦の作用について説明する。
通電による各ヒーター２、2a…のヒーター線４からの放熱により瓦本体１を加熱するこ
とで、該瓦本体１上の積雪を融かす様にしている。
例えば、軒瓦の場合、頭側が屋根下地下端より突出していることから、当該突出部位の
裏面側に屋根下地は存在せず非常に冷め易いため、各ヒーター２、2a…のヒーター線４を
、収容部位３、3a…内における頭側部位に配置する様に各ヒーター２、2a…の構成を決定
し収容部位３、3a…内に収容すれば、軒先に雪が溜まって軒瓦が折れることがない。
又、各ヒーター２、2a…のヒーター線４を、収容部位３、3a…内における尻側部位に配
置する様に各ヒーター２、2a…の構成を決定し収容部位３、3a…内に収容すれば、上下列
の融雪瓦の境界部の積雪を融かすことが可能になる。
【図面の簡単な説明】
【００１５】
【図１】収容部位を収容孔とした融雪瓦の平面図である。
【図２】図１の水平断面図である。
【図３】図１のＸ−Ｘ断面図である。
【図４】ヒーター線の挿通形態を示す断面図である。
【図５】ヒーターをユニット化した融雪瓦の水平断面図である。
【図６】収容部位を収容孔としたＪ形桟瓦である融雪瓦の断面図である。
【図７】収容部位を収容孔としたＦ形桟瓦である融雪瓦の断面図である。
【符号の説明】
【００１６】
１        瓦本体
２、2a…  ヒーター
３、3a…  収容部位
４        ヒーター線
５、5a…  リード線
６、6a    リード線
７、7a…  収容孔
８、8a…  収容溝
10、10a   挿入リード線
12        取付体
【図１】
2005299341.tif 000003
【図２】
2005299341.tif 000004
【図３】
2005299341.tif 000005
【図４】
2005299341.tif 000006
【図５】
2005299341.tif 000007
【図６】
2005299341.tif 000008
【図７】
2005299341.tif 000009